(57)【要約】【課題】テレビジョンサービスとワンセグサービスの切換の際に、演算量及びメモリ容量を低減した状態にて、音声の不連続の発生を防止することができる音声切換装置、音声切換方法、及び音声切換プログラムを提供する。【解決手段】音声切換装置は、第１の音声信号及び第２の音声信号を有する多重化音声信号が供給される多重分離部（１２）と、前記多重分離部（１２）で分離された第１の音声信号が供給される第１の入力バッファ部（１６）と、前記多重分離部（１２）で分離された第２の音声信号が供給される第２の入力バッファ部（２０）と、を含む。  音声切換装置は、更に、前記第１の入力バッファ部（１６）からの第１の音声信号及び第２の入力バッファ部（２０）からの第２の音声信号のうち１つの音声信号を選択するとともに、第１の音声信号から第２の音声信号への切換を行う音声切換部（３２）と、前記音声切換部（３２）からの音声信号を復号する１つの音声デコーダ部（３６）と、を含む。【選択図】図１
2009246732.tif 000002
【特許請求の範囲】
【請求項１】
第１の音声信号及び第２の音声信号を有する多重化音声信号が供給される多重分離部と、
前記多重分離部で分離された第１の音声信号が供給される第１の入力バッファ部と、
前記多重分離部で分離された第２の音声信号が供給される第２の入力バッファ部と、
前記第１の入力バッファ部からの第１の音声信号及び第２の入力バッファ部からの第２の音声信号のうち１つの音声信号を選択するとともに、第１の音声信号から第２の音声信号への切換を行う音声切換部と、
前記音声切換部からの音声信号を復号する１つの音声デコーダ部と、を含むことを特徴とする音声切換装置。
【請求項２】
請求項１記載の装置において、
更に、前記第１の入力バッファ部及び第２の入力バッファ部を制御する入力バッファ制御部を含み、
前記音声切換部が第１の音声信号から第２の音声信号への切換を行う際に、前記入力バッファ制御部は、第１の音声信号に付与されている掲示時刻が第２の音声信号に付与されている掲示時刻に同期するように、第１の音声信号に付与されている掲示時刻を補正することを特徴とする音声切換装置。
【請求項３】
請求項１又は２のうちいずれか１項に記載の装置において、
更に、前記音声デコーダ部からの復号音声信号が供給される出力バッファ部と、及び、前記出力バッファ部を制御する出力バッファ制御部と、を含み、
前記音声切換部が第１の音声信号から第２の音声信号への切換を行う際に、前記出力バッファ制御部は、第１の音声信号のフレームと第２の音声信号のフレームの間の隙間部分にサンプル単位の音声データを挿入することを特徴とする音声切換装置。
【請求項４】
請求項１乃至３のうちいずれか１項に記載の装置において、
前記第１の入力バッファ部及び第２の入力バッファ部は、それぞれ、第１の音声信号及び第２の音声信号を常時保存することを特徴とする音声切換装置。
【請求項５】
請求項１乃至４のうちいずれか１項に請求の装置において、
前記音声切換部が第１の音声信号から第２の音声信号への切換を行う際に、前記音声切換部は、第２の音声信号の掲示時刻が第１の音声信号の掲示時刻に連続するようになるまで、第１の音声信号を出力し、第２の音声信号の掲示時刻が第１の音声信号の掲示時刻に連続するようになったときに、第２の音声信号を出力することを特徴とする音声切換装置。
【請求項６】
請求項１乃至５のうちいずれか１項に記載の装置において、
前記音声切換部が第１の音声信号から第２の音声信号への切換を行う際に、前記音声切換部は、第１の音声信号の掲示時刻を基準に、第２の入力バッファ部から第２の音声信号を出力することを特徴とする音声切換装置。
【請求項７】
請求項１乃至６のうちいずれか１項に記載の装置において、
前記音声切換部が第１の音声信号から第２の音声信号への切換を行う際に、前記音声デコーダ部は、当該切換時の２つ手前のフレームから第２の音声信号を復号することを特徴とする音声切換装置。
【請求項８】
第１の音声信号及び第２の音声信号を有する多重化音声信号を供給する工程と、
前記多重化音声信号から分離された第１の音声信号を第１の入力バッファ部にて保存する工程と、
前記多重化音声信号から分離された第２の音声信号を第２の入力バッファ部にて保存する工程と、
前記第１の入力バッファ部からの第１の音声信号及び第２の入力バッファ部からの第２の音声信号のうち１つの音声信号を選択するとともに、第１の音声信号から第２の音声信号への切換を行う工程と、
前記音声切換工程で出力された音声信号を１つの音声デコーダ部により復号する工程と、を含むことを特徴とする音声切換方法。
【請求項９】
音声切換装置に使用されるコンピュータを、
第１の音声信号及び第２の音声信号を有する多重化音声信号が供給される多重分離部手段と、
前記多重分離手段で分離された第１の音声信号が供給される第１の入力バッファ手段と、
前記多重分離手段で分離された第２の音声信号が供給される第２の入力バッファ手段と、
前記第１の入力バッファ手段からの第１の音声信号及び第２の入力バッファ手段からの第２の音声信号のうち１つの音声信号を選択するとともに、第１の音声信号から第２の音声信号への切換を行う音声切換手段と、
前記音声切換手段からの音声信号を復号する１つの音声デコーダ手段、として機能させる音声切換プログラム。
【発明の詳細な説明】
【技術分野】
【０００１】
本願は、音声切換装置、音声切換方法、及び音声切換プログラムの技術分野に属し、より詳細には、第１の音声信号から第２の音声信号への切換を行う音声切換装置、音声切換方法、及び音声切換プログラムの技術分野に属する。
【背景技術】
【０００２】
現在、日本においては、地上デジタルテレビジョン放送(ＩＳＤＢ―Ｔ：Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ)が行われており、当該地上デジタルテレビジョン放送では、1つの周波数チャンネル（物理チャンネル）について、伝送特性の異なる複数のサービスが運用されている。当該複数のサービスとは、固定受信向けサービス（すなわち、テレビジョンサービス）、及び部分受信向けサービス（すなわち、ワンセグサービス）である。なお、固定受信向けサービス（テレビジョンサービス）は、１２セグサービスとも称される。ここで、テレビジョンサービスは、高品質であるが、ノイズに弱いため、固定受信機（例えば、固定テレビジョン受信機）で受信するのに適しており、一方、ワンセグサービスは、低品質であるが、ノイズに強いため、移動受信機（例えば、携帯電話機）で受信するのに適している。
【０００３】
地上デジタルテレビジョン放送を行うに際し、ほとんどの放送局では、番組内容が同一のコンテンツについて、テレビジョンサービス及びワンセグサービスの両サービスにて放送を行っており、すなわち、サイマル放送が行われている。そして、移動しながら地上デジタルテレビジョン放送を受信する車載用受信機では、同一のコンテンツを受信するに際し、現在位置での電波の受信状況に応じて、テレビジョンサービスとワンセグサービスの切換を行っている。すなわち、電波の受信状況が良い場合には、ノイズに弱いが高品質であるテレビジョンサービスを利用し、一方、電波の受信状況が悪い場合には、低品質であるがノイズに強いワンセグサービスを利用している。
【０００４】
上述したように、車載用受信機では、同一のコンテンツを受信するに際し、現在位置での電波の受信状況に応じて、テレビジョンサービスとワンセグサービスの切換を行っているが、この切換の際に、音声の不連続が発生するという問題がある。この音声の不連続の第１の原因は、テレビジョンサービス及びワンセグサービスが互いに同期していないためであり、すなわち、テレビジョンサービス及びワンセグサービスは、それらの時間軸が互いにずれた状態で放送されているためである（通常の場合、ワンセグサービスは、テレビジョンサービスより遅れて放送されている）。更に、音声の不連続の第２の原因は、前述したようにテレビジョンサービス及びワンセグサービスの時間軸が互いにずれているにもかかわらず、車載用受信機では、１つの音声デコーダ装置のみが設けられているため、テレビジョンサービスとワンセグサービスの切換の際に、音声デコーダ装置からの出力に音声の隙間が生じるためである。
【０００５】
上記の問題を解決するために、特許文献１の音声再生装置においては、テレビジョンサービス用及びワンセグサービス用にそれぞれ別個の音声デコーダ装置が設けられており、すなわち、全部で２つの音声デコーダ装置が設けられている。この特許文献１の音声再生装置によれば、テレビジョンサービスの音声信号及びワンセグサービスの音声信号をそれぞれの音声デコーダ装置により常時復号しているので、テレビジョンサービスとワンセグサービスの切換の際に、他方のサービスの音声信号をすぐに出力することができる。
【特許文献１】特願２００６−５１２０９２号（特許登録第３８９２４７８号公報）
【発明の開示】
【発明が解決しようとする課題】
【０００６】
上記特許文献１の音声再生装置においては、２つの音声デコーダ装置が設けられ、当該２つの音声デコーダ装置が同時に動作しているので、演算量が増加するという問題がある。更に、２つの音声デコーダ装置の後段には、それぞれ、当該デコーダ装置からの復号された音声信号を記憶するためのメモリ装置が設けられており、当該２つのメモリ装置が同時に動作するので、メモリ容量が増加する問題がある。
【０００７】
本願は、上記課題に鑑みて為されたものであり、その目的の一例は、テレビジョンサービスとワンセグサービスの切換の際に、演算量及びメモリ容量を低減した状態にて、音声の不連続の発生を防止することができる音声切換装置、音声切換方法、及び音声切換プログラムを提供することにある。
【課題を解決するための手段】
【０００８】
上記の課題を解決するために、請求項１記載の発明は、第１の音声信号及び第２の音声信号を有する多重化音声信号が供給される多重分離部と、前記多重分離部で分離された第１の音声信号が供給される第１の入力バッファ部と、前記多重分離部で分離された第２の音声信号が供給される第２の入力バッファ部と、前記第１の入力バッファ部からの第１の音声信号及び第２の入力バッファ部からの第２の音声信号のうち１つの音声信号を選択するとともに、第１の音声信号から第２の音声信号への切換を行う音声切換部と、前記音声切換部からの音声信号を復号する１つの音声デコーダ部と、を含むことを特徴とする音声切換装置である。
【０００９】
上記の課題を解決するために、請求項８記載の発明は、第１の音声信号及び第２の音声信号を有する多重化音声信号を供給する工程と、前記多重化音声信号から分離された第１の音声信号を第１の入力バッファ部にて保存する工程と、前記多重化音声信号から分離された第２の音声信号を第２の入力バッファ部にて保存する工程と、前記第１の入力バッファ部からの第１の音声信号及び第２の入力バッファ部からの第２の音声信号のうち１つの音声信号を選択するとともに、第１の音声信号から第２の音声信号への切換を行う工程と、前記音声切換工程で出力された音声信号を１つの音声デコーダ部により復号する工程と、を含むことを特徴とする音声切換方法である。
【００１０】
上記の課題を解決するために、請求項９記載の発明は、音声切換装置に使用されるコンピュータを、第１の音声信号及び第２の音声信号を有する多重化音声信号が供給される多重分離部手段と、前記多重分離手段で分離された第１の音声信号が供給される第１の入力バッファ手段と、前記多重分離手段で分離された第２の音声信号が供給される第２の入力バッファ手段と、前記第１の入力バッファ手段からの第１の音声信号及び第２の入力バッファ手段からの第２の音声信号のうち１つの音声信号を選択するとともに、第１の音声信号から第２の音声信号への切換を行う音声切換手段と、前記音声切換手段からの音声信号を復号する１つの音声デコーダ手段として機能させる音声切換プログラムである。
【発明を実施するための最良の形態】
【００１１】
次に、本願を実施するための最良の形態について、図面を用いて説明する。
【００１２】
図１には、本願の実施の形態による音声切換装置がブロック回路にて示されている。
【００１３】
図１において、符号１０は、地上デジタルテレビジョン放送の受信に基づいて得られた音声ＥＳ（Ｅｌｅｍｅｎｔａｒｙ  Ｓｔｒｅａｍ）データ信号を示す。当該音声ＥＳデータ信号１０は、テレビジョンサービス用音声信号及びワンセグサービス用音声信号を有しており、当該音声ＥＳデータ信号１０は、多重分離部１２に供給される。多重分離部１２で分離されたテレビジョンサービス用音声信号１４は、テレビジョンサービス用入力バッファ部１６に供給され、同様に、多重分離部１２で分離されたワンセグサービス用音声信号１８は、ワンセグサービス用入力バッファ部２０に供給される。なお、テレビジョンサービス用入力バッファ部１６、及びワンセグサービス用入力バッファ部２０は、それぞれ、入力バッファ制御部２２からの制御信号２４、及び２６により制御される。
【００１４】
前記テレビジョンサービス用入力バッファ部１６からの音声信号２８、及びワンセグサービス用入力バッファ部２０からの音声信号３０は、音声切換部３２に供給される。当該音声切換部３２は、テレビジョンサービス用音声信号２８及びワンセグ用音声信号３０のうち１つの音声信号を選択するとともに、テレビジョンサービス用音声信号２８及びワンセグサービス用音声信号３０との間で切換を行う。
【００１５】
前記音声切換部３２からの音声信号３４は、音声デコーダ部３６に供給され、当該音声デコーダ部３６からの復号信号３８は、出力バッファ部４０に供給され、当該出力バッファ部４０は、音声データ信号４２を出力する。なお、出力バッファ部４０は、出力バッファ制御部４４からの制御信号４６により制御される。
【００１６】
以上の本願の実施の形態による音声切換装置によれば、音声切換部３２は、テレビジョンサービス用音声信号２８及びワンセグサービス用音声信号３０のうち１つの音声信号を選択するとともに、テレビジョンサービス用音声信号２８及びワンセグサービス用音声信号３０との間で切換を行い、いずれか１つの音声信号３４を音声デコーダ部３６に供給する。
【００１７】
上記図１においては、１つの音声デコーダ部３６を設け、音声切換部３２によりテレビジョンサービス用音声信号２８及びワンセグサービス用音声信号３０のうち１つの音声信号を音声デコーダ部３６に供給する構成であるので、音声デコーダ装置及びデコーダ用メモリ装置をテレビジョンサービス音声信号用及びワンセグサービス音声信号用にそれぞれ別個に設けた場合と比較して、演算量及びメモリ容量を低減することができる。
【００１８】
従って、テレビジョンサービスとワンセグサービスの切換の際に、演算量及びメモリ容量を低減した状態にて、音声の不連続の発生を防止することができる。
【００１９】
次に、上記図１に示された本願の実施の形態による音声切換装置の動作の詳細を説明する。
【００２０】
本願の実施の形態による音声切換装置の動作として、１．音声出力タイミングの補正動作、２．入力バッファ部の切換動作、及び３．切換タイミングの補正動作があり、以下、これらの動作を順次説明する。
１．音声出力タイミングの補正動作
選択された音声信号がテレビジョンサービス音声ＥＳデータである場合には、入力バッファ部１６により掲示時刻情報の補正が行われ、更に、出力バッファ補正部４４により音声データの補正が行われる。
【００２１】
これについては、後述する（１）解決策１、及び（２）解決策２を参照されたい。
２．入力バッファ部の切換動作、
２つの入力バッファ部１６、及び２０が設けられているので、テレビジョンサービス用音声信号１４及びワンセグサービス用音声信号１８の両方の音声信号を常時保存することができる。そして、音声切換部３２により、バッファ部１６に保存されたテレビジョンサービス用音声信号２８、及びバッファ部２０に保存されたワンセグサービス用音声信号３０のうち１つの音声信号を選択することができる。
【００２２】
これについては、後述する（３）解決策３を参照されたい。
３．切換タイミングの補正動作
テレビジョンサービス用音声信号からワンセグサービス用音声信号に切り換える場合には、切換の前後で両者の音声信号の掲示時刻情報が連続するように、音声切換部３２により音声信号２８、３０の切換制御を行い、後段の音声デコーダ部３６に出力する。
【００２３】
また、ワンセグサービス用音声信号からテレビジョンサービス用音声信号に切り換える場合には、テレビジョンサービス用音声信号の音声データを掲示できる時刻まで、ワンセグサービス用音声信号の音声データの出力期間を延長することにより、切換の前後で両者の音声信号の掲示時刻情報が連続するように、音声切換部３２は、音声信号２８、３０の切換制御を行う。
【００２４】
これについては、後述する（４）解決策４、（５）解決策５、及び（６）解決策６を参照されたい。
【００２５】
以上の本願の実施の形態による音声切換装置の各動作、すなわち、１．音声出力タイミングの補正動作、２．入力バッファ部の切換動作、及び３．切換タイミングの補正動作により、ワンセグサービス用音声信号とテレビジョンサービス用音声信号を切り換える際に、両音声信号において掲示時刻の同期をとり、且つ、両音声信号において音声データの隙間をつくることなく、一定間隔で復号することができ、これにより、音声の連続化を実現することができる。
【００２６】
以下、上記（１）解決策１乃至（６）解決策６について、詳細に説明する。
（１）解決策１
解決策１は、テレビジョンサービス用音声信号及びワンセグサービス用音声信号の各音声データに付与されている掲示時刻情報を使用して同期をとることであり、図２には、解決策１が示されている。
【００２７】
図２において、テレビジョンサービス用音声信号及びワンセグサービス用音声信号の各音声データには、いつ出力されるべきであるかを判断するための掲示時刻情報が付与されている。そして、テレビジョンサービス用音声信号よりワンセグサービス用音声信号が遅延して放送されているものと仮定しているので、遅延して放送されているワンセグサービス用音声信号の掲示時刻に適合するように、テレビジョンサービス用音声信号の掲示時刻が補正されている。
【００２８】
図２において、テレビジョンサービス用音声信号（補正前）４８は、音声データＡ（１）、Ｂ（２）、Ｃ（３）、Ｄ（４）、及びＥ（５）から構成されている。なお、音声データＡ（１）、Ｂ（２）、Ｃ（３）、Ｄ（４）、及びＥ（５）における数字１、２、３、４、及び５は、掲示時刻を示す。一方、ワンセグサービス用音声信号５０は、音声データＡ（３）、Ｂ（４）、Ｃ（５）、Ｄ（６）、及びＥ（７）から構成されている。従って、テレビジョンサービス用音声信号（補正前）４８よりワンセグサービス用音声信号５０が遅延していることが分かる。すなわち、テレビジョンサービス用音声信号（補正前）４８のＣ（３）、Ｄ（４）、及びＥ（５）は、それぞれ、ワンセグサービス用音声信号５０のＡ（３）、Ｂ（４）、及びＣ（５）に時間的に対応している。
【００２９】
従って、このような状態において、テレビジョンサービス用音声信号４８からワンセグサービス用音声信号５０に切り換えると、音声の連続性が維持されない。
【００３０】
そこで、ワンセグサービス用音声信号５０の掲示時刻に適合するように、テレビジョンサービス用音声信号４８の掲示時刻を補正し（矢印５４を参照）、これにより、テレビジョンサービス用音声信号（補正後）５２が得られる。テレビジョンサービス用音声信号（補正後）５２の音声データＡ（３）、Ｂ（４）、Ｃ（５）、Ｄ（６）、及びＥ（７）は、それぞれ、ワンセグサービス用音声信号５０の音声データＡ（３）、Ｂ（４）、Ｃ（５）、Ｄ（６）、及びＥ（７）に時間的に対応している（矢印５６を参照）。
【００３１】
従って、このような状態において、テレビジョンサービス用音声信号５２からワンセグサービス用音声信号５０に切り換えると、音声の連続性が維持されることになる。
（２）解決策２
解決策２は、テレビジョンサービス用音声信号及びワンセグサービス用音声信号の間隔を補正することであり、図３には、解決策２が示されている。
【００３２】
図３において、ワンセグサービス用音声信号５８及びテレビジョンサービス用音声信号（補正前）６０は、フレーム単位で見た場合、掲示時刻が全く同一のタイミングではないために、解決策１であるような補正を行ったとしても、音声フレームを出力する際にずれが生じる。このように、当該ずれ量の分だけ音声の隙間が生じるので、当該隙間を埋めるようにする。
【００３３】
図３を参照すると、ワンセグサービス用音声信号５８の音声データのフレーム６２及びテレビジョンサービス用音声信号（補正前）６０の音声データのフレーム６４は、掲示時刻のタイミングの相違のため、ずれ量の分だけ音声の隙間６６が生じる。
【００３４】
パターン１として、テレビジョンサービス用音声信号（補正後）６８は、符号７０で示されるように、フレーム単位でずらされており、すなわち、テレビジョンサービス用音声信号（補正後）６８のフレーム７２は、その掲示時刻のタイミングがワンセグサービス用音声信号５８のフレーム６２に適合されている。この場合、テレビジョンサービス用音声信号（補正後）６８の音声とワンセグサービス用音声信号５８の音声は、連続的にはなるが、両者のつなぎ目の部分が離散的になる。
【００３５】
パターン２として、テレビジョンサービス用音声信号（挿入後）７４においては、音声データがサンプル単位で挿入されている（サンプル部７６を参照）。すなわち、テレビジョンサービス用音声信号（挿入後）７４においては、掲示時刻の補正は行われず、代わりに、ワンセグサービス用音声信号５８のフレーム６２とテレビジョンサービス用音声信号（挿入後）７４のフレーム７８の隙間部分には、サンプル単位で音声データが挿入されている（サンプル部７６を参照）。
【００３６】
なお、図３において、ワンセグサービス用音声信号５８の音声データのフレーム６２、テレビジョンサービス用音声信号（補正前）６０の音声データのフレーム６４、テレビジョンサービス用音声信号（補正後）６８のフレーム７２、及びテレビジョンサービス用音声信号（挿入後）７４のフレーム７８について、一様な色のフレームは、出力される音声データ（元データ）を示し、斜線が付されたフレームは、出力される音声データ（補完データ）を示し、白色のフレームは、取得された音声データ（但し、出力されない）を示す。
（３）解決策３
解決策３は、２つの入力バッファ部１６、２０（図１を参照）が設けられ、テレビジョンサービス用音声信号及びワンセグサービス用音声信号の両方の音声データを常時保存することであり、図４には、解決策３が示されている。すなわち、解決策３では、２つの入力バッファ部１６、２０でそれぞれ音声データを常時保存することにより、テレビジョンサービス用音声信号とワンセグサービス用音声信号の切換時に音声データの隙間が生じるのを防止している。
【００３７】
なお、２つの入力バッファ部１６、２０のうち一方の入力バッファ部では、音声データが常時音声切換部３２（図１を参照）を介して音声デコーダ部３６（図１を参照）に供給され、これに対し、２つの入力バッファ部１６、２０のうち他方の入力バッファ部では、音声データは、メモリ容量の削減のため、読取後逐次削除されるようにする。ここで、読取後逐次削除されるべき音声データについて説明すると、現在デコードされている一方の音声信号の音声データに付与されている掲示時刻情報（同期補正済み）に基づき、それ以前の他方の音声信号の音声データが読取後逐次削除されるようにする。
【００３８】
以下、図４を参照しながら、解決策３を詳細に説明する。
【００３９】
図４において、符号８０は、２つの入力バッファ部１６、２０を有する入力バッファを示し、入力バッファ部１６に保存されるテレビジョンサービス用音声信号８２及び入力バッファ部２０に保存されるワンセグサービス用音声信号８４のうちテレビジョンサービス用音声信号８２が視聴されているものと仮定する。
【００４０】
なお、図４において、テレビジョンサービス用音声信号８２は、音声データＡ（１）、Ｂ（２）、Ｃ（３）、Ｄ（４）、及びＥ（５）から構成され、ワンセグサービス用音声信号８４は、音声データＡ‘（１）、Ｂ’（２）、Ｃ‘（３）、Ｄ’（４）、及びＥ‘（５）から構成されている。また、音声データＡ（１）、Ｂ（２）、Ｃ（３）、Ｄ（４）、及びＥ（５）、並びに音声データＡ‘（１）、Ｂ’（２）、Ｃ‘（３）、Ｄ’（４）、及びＥ‘（５）における数字１、２、３、４、及び５は、掲示時刻を示す。
【００４１】
図４において、入力バッファ８０内の２つの入力バッファ部１６、２０には、それぞれ、テレビジョンサービス用音声信号８２及びワンセグサービス用音声信号８４が供給され保存される。ここで、テレビジョンサービス用音声信号８２よりワンセグサービス用音声信号８４が遅延しており、例えば、テレビジョンサービス用音声信号８２の音声データＢ（２）に対して同時刻に取得されるデータは、ワンセグサービス用音声信号８４の音声データＡ‘（１）ということになる。
【００４２】
符号８６は、音声デコーダ部３６（図１を参照）に供給される音声データを示す。なお、テレビジョンサービス用音声信号８２の音声データＡ（１）が音声デコーダ部３６に供給されたら、ワンセグサービス用音声信号８４の音声データＡ’（１）は、入力バッファ部２０から削除され、その後、テレビジョンサービス用音声信号８２の音声データＢ（２）が音声デコーダ部３６に供給されたら、ワンセグサービス用音声信号８４の音声データＢ’（２）は、入力バッファ部２０から削除される。
【００４３】
時点ｔ１以前では、音声デコーダ部３６には、符号８６に示されるように、テレビジョンサービス用音声信号８２の音声データＡ（１）、及びＢ（２）が供給される。その後、時点ｔ１で、テレビジョンサービス用音声信号８２からワンセグサービス用音声信号８４に切り換えられると、音声デコーダ部３６には、符号８６に示されるように、ワンセグサービス用音声信号８４の音声データＣ‘（３）、Ｄ’（４）、及びＥ‘（５）が供給されることになる。
【００４４】
ここで、仮に入力バッファ部が１つの場合には、音声デコーダ部３６では、切換後に符号８８で示される音声データＣ‘（３）を取得することができないため、音声が出力されないという事態が生じるが、本願の実施の形態においては、２つの入力バッファ部１６、２０が設けられているので、このような事態を防止することができる。更に、入力バッファ部１６、２０では、現在デコードされている一方の音声信号の音声データに付与されている掲示時刻情報（同期補正済み）に基づき、それ以前の他方の音声信号の音声データが読取後逐次削除されるようにしているので、入力バッファ部１６、２０のメモリ容量を削減することができる。
【００４５】
なお、テレビジョンサービス用音声信号８２からワンセグサービス用音声信号８４への切り換え可能時期（図４では時点ｔ１）は、受信レベル及びエラー率で判断される。また、図４において、テレビジョンサービス用音声信号８２の符号９０で示される音声信号Ｅ（５）は、仮に入力バッファ部が１つの場合には、取得されない音声データである。
（４）解決策４
解決策４は、ワンセグサービス用音声信号からテレビジョンサービス用音声信号への切換時に、音声データがつながるようにすることであり、図５には、解決策４が示されている。解決策４では、ワンセグサービス用音声信号からテレビジョンサービス用音声信号への切換時に、すぐに切り換えずに、入力バッファ部に保存されているテレビジョンサービス用音声信号を利用し、当該テレビジョンサービス用音声信号の音声データに付与されている掲示時刻まで、ワンセグサービス用音声信号の音声データの出力期間を延長する。
【００４６】
図５において、テレビジョンサービス用音声信号９２よりワンセグサービス用音声信号９４が遅延して放送されていると仮定しているが、逆の場合でも同様の処理である。また、テレビジョンサービス用音声信号９４の掲示時刻とワンセグサービス用音声信号９２の掲示時刻は、既に同期されていると仮定する。
【００４７】
なお、図５において、ワンセグサービス用音声信号９２は、音声データＡ（１）、Ｂ（２）、Ｃ（３）、及びＤ（４）から構成され、テレビジョンサービス用音声信号９４は、音声データＣ（３）、Ｄ（４）、Ｅ（５）、Ｆ（６）、及びＧ（７）から構成されている。また、音声データＡ（１）、Ｂ（２）、Ｃ（３）、及びＤ（４）、並びに音声データＣ（３）、Ｄ（４）、Ｅ（５）、Ｆ（６）、及びＧ（７）における数字１、２、３、４、５、６、及び７は、掲示時刻を示す。また、図５において、時点ｔ１は、ワンセグサービス用音声信号９２からテレビジョンサービス用音声信号９４への切換が可能である時点を示すが、これは、受信レベル及びエラー率で判断される。
【００４８】
図５において、時点ｔ１で、テレビジョンサービス用入力バッファ部１６の保存内容が確認される。この時点ｔ１から時点ｔ２の期間Ｔ１では、テレビジョンサービス用入力バッファ部１６には、テレビジョンサービス用音声信号９４の音声データＣ（３）、及びＤ（４）が存在しないため、ワンセグサービス用入力バッファ部２０からワンセグサービス用音声信号９２の音声データＣ（３）、及びＤ（４）が出力される（符号９６、及び９８を参照）。すなわち、ワンセグサービス用入力バッファ部２０からのワンセグサービス用音声信号９２の音声データの出力期間が延長される（符号１００を参照）。
【００４９】
時点ｔ２は、ワンセグサービス用音声信号９２からテレビジョンサービス用音声信号９４への実際の切換の時点を示す。この時点ｔ２以降は、テレビジョンサービス用入力バッファ部１６から音声データＥ（５）、Ｆ（６）、及びＧ（７）が順次出力される。
【００５０】
符号１０２は、テレビジョンサービス用入力バッファ部１６の保存内容を示す。時点ｔ１では、入力バッファ部１６に音声データＣ（３）、及びＤ（４）が保存されていないので、符号１００で示されるように、ワンセグサービス用入力バッファ部２０からワンセグサービス用音声信号９２の音声データＣ（３）、及びＤ（４）が延長して出力される必要がある。そして、時点ｔ２以降は、テレビジョンサービス用入力バッファ部１６から音声データＥ（５）、Ｆ（６）、Ｇ（７）、Ｈ（８）、及びＩ（９）が順次出力される。
（５）解決策５
解決策５は、テレビジョンサービス用音声信号からワンセグサービス用音声信号への切換時に、音声データがつながるようにすることであり、図６には、解決策５が示されている。解決策５では、テレビジョンサービス用音声信号からワンセグサービス用音声信号への切換の直前にデコードされたテレビジョンサービス用音声信号の音声データに付与されている掲示時刻情報を基準に、ワンセグサービス用音声信号の入力バッファ部からワンセグサービス用音声信号の音声データを取り出すことである。なお、前記基準以前のワンセグサービス用音声信号の音声データは、削除されるものとする。
【００５１】
図６において、テレビジョンサービス用音声信号１０４よりワンセグサービス用音声信号１０６が遅延して放送されていると仮定しているが、逆の場合でも同様の処理である。また、テレビジョンサービス用音声信号１０４の掲示時刻とワンセグサービス用音声信号１０６の掲示時刻は、既に同期されていると仮定する。
【００５２】
なお、図６において、テレビジョンサービス用音声信号１０４は、音声データＡ（１）、Ｂ（２）、Ｃ（３）、及びＤ（４）から構成され、ワンセグサービス用音声信号１０６は、音声データＣ（３）、Ｄ（４）、Ｅ（５）、Ｆ（６）、及びＧ（７）から構成されている。また、音声データＡ（１）、Ｂ（２）、Ｃ（３）、及びＤ（４）、並びに音声データＣ（３）、Ｄ（４）、Ｅ（５）、Ｆ（６）、及びＧ（７）における数字１、２、３、４、５、６、及び７は、掲示時刻を示す。また、図６において、時点ｔ１は、テレビジョンサービス用音声信号１０４からワンセグサービス用音声信号１０６への切換の時点を示すが、この時点ｔ１では、テレビジョンサービスの受信が不可能であり、これは、受信レベル及びエラー率で判断される。
【００５３】
図６において、テレビジョンサービス用音声信号１０４からワンセグサービス用音声信号１０６への切換の時点ｔ１に、当該切換の直前にデコードされたテレビジョンサービス用音声信号１０４の音声データＤ（４）（符号１０８を参照）に付与されている掲示時刻４を基準に、ワンセグサービス用音声信号１０６の入力バッファ部２０（図１を参照）からワンセグサービス用音声信号１０６の音声データＥ（５）、Ｆ（６）、及びＧ（７）が順次取り出される。なお、基準である掲示時刻４より以前のワンセグサービス用音声信号１０６の音声データＣ（３）、及びＤ（４）は、削除される。
【００５４】
符号１１０は、ワンセグサービス用入力バッファ部２０の保存内容を示す。テレビジョンサービス用音声信号１０４からワンセグサービス用音声信号１０６への切換は、時点ｔ１であるので、入力バッファ部２０の掲示時刻３、及び掲示時刻４に対応するワンセグサービス用音声信号１０６の音声データＣ（３），及びＤ（４）は、削除され、出力されない。そして、時点ｔ１以降は、ワンセグサービス用入力バッファ部２０から音声データＥ（５）、Ｆ（６）、及びＧ（７）が順次出力される。
（６）解決策６
解決策６は、テレビジョンサービス用音声信号からワンセグサービス用音声信号への切換の直後に、ＳＢＲ（Ｓｐｅｃｉａｌ  Ｂａｎｄ  Ｒｅｐｌｉｃａｔｉｏｎ）をデコードできるようにすることであり、図７には、解決策６が示されている。
【００５５】
テレビジョンサービス用音声信号からワンセグサービス用音声信号に切り換わった場合に、当該切換の直後からＳＢＲをデコードするためには、いくつかの条件を満たさなければならない。すなわち、ＳＢＲは、単独の情報からデコードされることができず、ＳＢＲをデコードするためには、下記に示される情報１乃至情報５を取得する必要がある。
（ｉ）情報１  デコードされるフレーム中に入っているＳＢＲのパラメータ
（ii）情報２  デコードされるフレームのベースコーデックのデコード結果
（iii）情報３  直前のｓｂｒ＿ｈｅａｄｅｒの情報から求められるＳＢＲテーブル情報
（ix）情報４  直前のフレームのパラメータの一部
（Ｘ）情報５  直前のフレームのデコード結果の一部
以下、情報１乃至情報５を取得するための方法を、図７に基づいて説明する。
【００５６】
図７において、テレビジョンサービス用音声信号１１２は、音声データＡ（１）、Ｂ（２）、Ｃ（３）、Ｄ（４）、及びＥ（５）から構成され、ワンセグサービス用音声信号１１４は、音声データＦ‘（６）、Ｇ’（７）、及びＨ‘（８）から構成されている。また、音声データＡ（１）、Ｂ（２）、Ｃ（３）、Ｄ（４）、及びＥ（５）、並びに音声データＦ’（６）、Ｇ‘（７）、及びＨ’（８）における数字１、２、３、４、５、６、７、及び８は、掲示時刻を示す。なお、時点ｔ１は、テレビジョンサービス用音声信号１１２からワンセグサービス用音声信号１１４への切換の時点を示し、この時点ｔ１は、受信レベル及びエラー率で判断される。図７において、時点ｔ１で、テレビジョンサービス用音声信号１１２からワンセグサービス用音声信号１１４に切り換わり、テレビジョンサービス用音声信号１１２の音声データＥ（５）からワンセグサービス用音声信号１１４の音声データＦ‘（６）に切り換わる。
【００５７】
符号１１６は、音声デコーダ部３６（図１を参照）内の状態を示す。また、符号１１８は、音声デコーダ部３６内でデコードされる音声信号を示し、音声信号１１８は、音声データＢ（２）、Ｃ（３）、Ｄ（４）、Ｅ（５）、Ｆ‘（６）、Ｇ’（７）、及びＨ‘（８）から構成されている。
【００５８】
情報３は、音声信号１１８のうち、ワンセグサービス用音声データ各フレームに存在するわけではなく、最大０．５秒の間隔で存在することから、テレビジョンサービスの視聴中に事前に保持しておく。すなわち、符号１２０は、事前に保持される１フレームの音声データを示しており、情報３を取得するためにｓｂｒ＿ｈｅａｄｅｒの情報１２２は、当該音声データ１２０から得られる。
【００５９】
テレビジョンサービス用音声信号からワンセグサービス用音声信号に切り換わる際（時点ｔ１）に、最後にデコードされたテレビジョンサービス用音声信号１１２の音声データＥ（５）に対する掲示時刻５の情報の直後からから、ワンセグサービス用音声信号１１４の音声データＦ‘（６）をデコードすると、情報４及び情報５を取得することができず、結局、ＳＢＲを最初からデコードすることができない。そこで、符号１２４で示されるように、１フレームだけ手前のワンセグサービス用音声信号１１４の音声データＥ’（５）からデコードする。これにより、情報１及び情報２を取得し、ＳＢＲをデコードすることができる。
【００６０】
ただし、この場合であっても、最初に出力される音声のうち後半のみしかＳＢＲがデコードされないので、符号１２６で示されるように、更に１フレームだけ手前のワンセグサービス用音声信号１１４の音声データＤ’（４）からデコードする。これにより、情報４及び情報５を取得することができる。
【００６１】
以上のようにして情報１乃至情報５を取得することができるので、ＳＢＲをデコードすることが可能である。
【００６２】
次に、図８、図９、図１０、および図１１には、本願の実施の形態による音声切換装置による処理がフローチャートにて示されている。なお、図８乃至図１１において、符号１３０、１３２、１３４、１３６、１３８、及び１４０を付した個所は、それぞれ、前述した解決策１、解決策２、解決策３、解決策４、解決策５、及び解決策６に対応する処理を示す。
【００６３】
図８において、ステップＳ１０でスタートし、ステップＳ１２で入力された音声ＥＳデータを分離し、ステップＳ１４に進む。ステップＳ１４でテレビジョンサービス用音声ＥＳデータか否かが判断され、Ｎｏであると、ステップＳ１６で入力バッファ（ワンセグ用）に音声ＥＳデータを保存し、ステップＳ１８に進む。前記ステップＳ１４でＹｅｓであると、ステップＳ２０で入力バッファ（テレビジョンサービス用）に音声ＥＳデータを保存し、ステップＳ１８に進む。
【００６４】
ステップＳ１８でテレビジョンサービス用音声ＥＳデータに付与されている掲示時刻情報と、ワンセグ用音声ＥＳデータに付与されている掲示時刻情報を使用し、同期を取り、ステップＳ２２に進む。ステップＳ２２でデコードを終えた音声データに付与された掲示時刻情報を基準にし、それ以前のデータが入力バッファにあるか否かが判断され、Ｙｅｓの場合には、ステップＳ２４で該当するデータを入力バッファから消去する。
【００６５】
前記ステップＳ２２でＮｏの場合、及び前記ステップＳ２４からは、図９のステップＳ２６に進み、視聴サービスの切換指示があるか否かが判断される。当該ステップＳ２６でＹｅｓの場合には、ステップＳ２８に進み、視聴しているサービスがテレビジョンサービスか否かが判断される。当該ステップＳ２８でＮｏの場合には、ステップＳ３０に進み、テレビジョンサービスへの切換処理を開始し、ステップＳ３２に進み、テレビジョンサービス用音声ＥＳデータが取得できたか否かが判断される。
【００６６】
前記ステップＳ３２でＮｏの場合には、ステップＳ３４に進み、入力バッファ（ワンセグ用）に保存されているＥＳデータをデコーダに渡す。前記ステップＳ３２でＹｅｓの場合には、ステップＳ３６に進み、取得したテレビジョンサービス用音声ＥＳデータに付与されている掲示時刻までワンセグ用ＥＳデータをデコードしたか否かが判断される。当該ステップＳ３６でＮｏの場合には、前記ステップＳ３４に進み、一方、ステップＳ３６でＹｅｓの場合には、ステップＳ３８に進み、入力バッファ（テレビジョンサービス用）に保存されているＥＳデータをデコーダに渡す。
【００６７】
前記ステップＳ２８でＹｅｓの場合には、図１０のステップＳ４０に進み、ワンセグへの切換処理を開始し、ステップＳ４２に進み、ＳＢＲ（Ｓｐｅｃｉａｌ  Ｂａｎｄ  Ｒｅｐｌｉｃａｔｉｏｎ）を最初からデコードする必要があるか否かが判断される。当該ステップＳ４２でＮｏの場合には、ステップＳ４４に進み、最後にデコードされたデータに付与されている掲示時刻情報を基に、その掲示時刻の次のタイミングに当たるＥＳデータを入力バッファ（ワンセグ用）からデコーダに渡す。前記ステップＳ４２でＹｅｓの場合には、ステップＳ４６に進み、事前に保持しておいたＳＢＲヘッダー情報に加え、最後にデコードされたデータに付与されている掲示時刻情報を基準に、その２つ前に当たる音声データのデコードから開始し、ＳＢＲデコードに必要な情報を取得し、前記ステップＳ４４に進む。
【００６８】
前記図９のステップＳ２６でＮｏの場合には、図１１のステップＳ４８で視聴中のサービスに対応するＥＳデータをデコーダに渡し、ステップＳ５０に進み、受け取ったデータをデコードする。また、図９のステップＳ３４、及びステップＳ３８から、図１１のステップＳ５０に進む。更に、図１０のステップＳ４４から、図１１のステップＳ５０に進む。
【００６９】
図１１のステップＳ５０からステップＳ５２に進み、音声ＥＳデータの種類が変わって最初のデコードであるか否かが判断される。当該ステップＳ５２でＮｏの場合には、ステップＳ５４に進み、スタートにもどる。前記ステップＳ５２でＹｅｓの場合には、ステップＳ５６でテレビジョンサービス音声とワンセグ音声の同期を掲示時刻情報を基に、フレーム単位で行っていることにより、微妙な音声の隙間ができてしまうので、その隙間にサンプル単位で音声データを挿入し、ステップＳ５４に進む。
【００７０】
以上説明したように、本願の実施の形態による音声切換装置によれば、テレビジョンサービスとワンセグサービスの切換の際に、演算量及びメモリ容量を低減した状態にて、音声の不連続の発生を防止することができる。
【００７１】
なお、本願においては、テレビジョンサービスとワンセグサービスの間で切換を行う際に、字幕表示の時間軸のずれを補正することも可能である。
【００７２】
また、本願は、例えば、車載及び携帯等の地上デジタルテレビジョン放送及び地上デジタルワンセグ放送をともに受信することが可能な地上デジタル受信機について適用可能である。
【図面の簡単な説明】
【００７３】
【図１】本願の実施の形態による音声切換装置のブロック回路図である。
【図２】解決策１を示す図である。
【図３】解決策２を示す図である。
【図４】解決策３を示す図である。
【図５】解決策４を示す図である。
【図６】解決策５を示す図である。
【図７】解決策６を示す図である。
【図８】本願の実施の形態による音声切換装置による処理のフローチャート図である。
【図９】本願の実施の形態による音声切換装置による処理のフローチャート図である。
【図１０】本願の実施の形態による音声切換装置による処理のフローチャート図である。
【図１１】本願の実施の形態による音声切換装置による処理のフローチャート図である。
【符号の説明】
【００７４】
１２  多重分離部
１６  入力バッファ部（テレビジョンサービス用）
１８  入力バッファ部（ワンセグサービス用）
２２  入力バッファ制御部
３２  音声切換部
３６  音声デコーダ部
４０  出力バッファ部
４４  出力バッファ補正部
【図１】
2009246732.tif 000003
【図２】
2009246732.tif 000004
【図３】
2009246732.tif 000005
【図４】
2009246732.tif 000006
【図５】
2009246732.tif 000007
【図６】
2009246732.tif 000008
【図７】
2009246732.tif 000009
【図８】
2009246732.tif 000010
【図９】
2009246732.tif 000011
【図１０】
2009246732.tif 000012
【図１１】
2009246732.tif 000013